(57)【要約】【課題】連動部材のギア部と連動部材の回転力を受ける側のギアとの噛み合いにおけるガタを低減してスムーズな目幅調整を可能にした光学機器及び光学機器の製造方法を提供する。【解決手段】左眼に対応した第１の光学系及び右眼に対応した第２の光学系の光軸間距離を調整可能な光学機器であって、前記第１の光学系と連動する第１の連動部材と、前記第２の光学系と連動する第２の連動部材と、前記第１の連動部材と一体で移動する第１のギアと、前記第２の連動部材と一体で移動する第２のギアと、前記第１のギアより回転力が伝達される第３のギアと、前記第２のギアより回転力が伝達される第４のギアと、該第３及び第４のギアを保持する第１の保持部材と、前記第１及び第２の連動部材と前記第１及び第２のギアとを保持する第２の保持部材と、を有し、前記第１の保持部材を前記第２の保持部材と別体に設ける。【選択図】図３
2017219794.tif 000002
【特許請求の範囲】
【請求項１】
左眼に対応した第１の光学系及び右眼に対応した第２の光学系の光軸間距離を調整可能な光学機器であって、
前記第１の光学系と連動する第１の連動部材と、
前記第２の光学系と連動する第２の連動部材と、
前記第１の連動部材と一体で移動する第１のギアと、
前記第２の連動部材と一体で移動する第２のギアと、
前記第１のギアより回転力が伝達される第３のギアと、
前記第２のギアより回転力が伝達される第４のギアと、
該第３及び第４のギアを保持する第１の保持部材と、
前記第１及び第２の連動部材と前記第１及び第２のギアとを保持する第２の保持部材と、
を有し、
前記第１の保持部材を前記第２の保持部材と別体に設けたことを特徴とする光学機器。
【請求項２】
前記第１の保持部材は、前記第３及び第４のギアを一体的に保持することを特徴とする請求項１に記載の光学機器。
【請求項３】
前記第１の保持部材は、前記第３及び第４のギアを個別に保持する第３及び第４の保持部材を備えることを特徴とする請求項１に記載の光学機器。
【請求項４】
前記第３及び第４のギアは互いに噛合うことを特徴とする請求項１乃至３のいずれか１項に記載の光学機器。
【請求項５】
前記第３及び第４のギアは他の複数個のギアを介して噛合い、
前記第１の保持部材は、前記第３及び第４のギアおよび前記他の複数個のギアを個別に保持するそれぞれの保持部材を備えることを特徴とする請求項１乃至３のいずれか１項に記載の光学機器。
【請求項６】
前記第２の保持部材は、前記第３のギアをその中心が前記第１の連動部材における前記第１のギアの中心に向かう方向にガイドするガイド部を有することを特徴とする請求項３に記載の光学機器。
【請求項７】
前記第１及び第２の連動部材は、前記第１及び第２の光学系のそれぞれの光軸を中心に互いに逆方向に回転し、
前記第３及び第４のギアは、それぞれの中心が、前記第１及び第２の連動部材のそれぞれの回転中心を結ぶ線に対し一方側に偏って設けられることを特徴とする請求項１乃至６のいずれか１項に記載の光学機器。
【請求項８】
前記第１及び第２の光学系は、第１及び第２の光軸偏心手段を介して第１及び第２の光軸偏心手段を介さない第３及び第４の光学系のそれぞれの光軸に対し偏心した光軸を形成することを特徴とする請求項１乃至７のいずれか１項に記載の光学機器。
【請求項９】
一対の対物光学系として前記第３及び第４の光学系を有することを特徴とする請求項８に記載の光学機器。
【請求項１０】
前記第１及び第２の連動部材は、前記第１及び第２のギアと一体に成形または一体的に取り付けられることを特徴とする請求項１乃至９のいずれか１項に記載の光学機器。
【請求項１１】
前記第１の保持部材は、前記第３及び第４のギアをそれぞれ軸支する軸支部材を備えることを特徴とする請求項１乃至１０のいずれか１項に記載の光学機器。
【請求項１２】
前記線に対し、前記第３及び第４のギアと反対側に、電池収容部を有することを特徴とする請求項７に記載の光学機器。
【請求項１３】
左眼に対応した第１の光学系及び右眼に対応した第２の光学系の光軸間距離を調整可能な光学機器であって、
前記第１の光学系と連動する第１の連動部材と、
前記第２の光学系と連動する第２の連動部材と、
前記第１の連動部材と一体で移動する第１のギアと、
前記第２の連動部材と一体で移動する第２のギアと、
前記第１のギアより回転力が伝達される第３のギアと、
前記第２のギアより回転力が伝達される第４のギアと、
該第３及び第４のギアを保持する第１の保持部材と、
前記第１及び第２の連動部材と前記第１及び第２のギアとを保持する第２の保持部材と、
を有し、
前記第１の保持部材を前記第２の保持部材と別体に設け、
前記第１及び第２の光学系の光軸間距離を調整可能な光学機器の製造方法であって、
前記第１の保持部材を前記第２の保持部材に対して位置調整する位置調整工程を有することを特徴とする光学機器の製造方法。
【請求項１４】
前記位置調整工程で、前記第３及び第４のギアを一体的に前記第１及び第２のギアと噛み合うように移動させることを特徴とする請求項１３に記載の光学機器の製造方法。
【請求項１５】
前記位置調整工程で、前記第３のギアを、前記第４のギアと独立に前記第３のギアの回転中心が前記第１の連動部材の回転中心に近づくように個別に移動させる第１の工程を備えることを特徴とする請求項１３に記載の光学機器の製造方法。
【請求項１６】
前記位置調整工程で、前記第１の工程の後に、前記第４のギアを、前記第３のギアと前記第２の連動部材との間に組み込む第２の工程を備えることを特徴とする請求項１５に記載の光学機器の製造方法。
【請求項１７】
前記第３及び第４のギアは他の複数個のギアを介して噛合い、
前記位置調整工程で、前記第３及び第４のギアをそれぞれの回転中心が前記第１及び第２の連動部材７Ｒの回転中心に近づくように個別に移動させる工程と、
前記他の複数個のギアが前記第３及び第４のギアに噛合うように前記他の複数個のギアを個別に移動させる工程と、を備えることを特徴とする請求項１３に記載の光学機器の製造方法。
【発明の詳細な説明】
【技術分野】
【０００１】
本発明は、光学機器及び光学機器の製造方法に関し、特に左右の目幅調整における連動回転機構のガタを低減できるものに関する。
【背景技術】
【０００２】
従来の双眼鏡では、左右のレンズ筒内に対物光学系及び接眼光学系が配置され、左右のレンズ筒を動かすことにより使用者の目幅に合わせて、左右の接眼光学系の間隔を変えることが可能となっている。
【０００３】
また、近年の双眼鏡では、左右の対物光学系を１つの装置本体内に収納させたものがあり、左右の対物光学系の間隔が装置内で固定されている。このような双眼鏡の場合、目幅の調整は、左右の接眼ユニットをそれぞれ左右一対の対物光学系の光軸を中心に相互に反対方向に回動させて行う。その為に、接眼ユニットに一体に成形又は一体的に取り付けられた左右一対の連動部材と左右の接眼ユニットを連動させている。
【０００４】
そして、左右一対の連動部材の連動部は左右の対物光学系の光軸から等距離の位置において噛合または係合している。つまり、従来の目幅調整機構が専有する空間は、左右の対物光学系が有する光軸間の空間のうちの目幅調整機構が回動する面上において、目幅調整範囲に応じて定まる接眼ユニットが回動する角度範囲となる。そのため、目幅調整機構が専有する空間（特に左右眼を結ぶ方向に直交する方向）は目幅調整範囲によって決まり、目幅調整機構の専有空間が大きいと双眼鏡の光軸垂直方向の更なる小型化を困難にする。
【０００５】
この問題に対して、偶数個の小径のアイドラギアを用いることで、目幅調整機構の専有空間（特に左右眼を結ぶ方向に直交する方向）を減少し、小型化を達成し得る双眼鏡が提案されている（特許文献１）。即ち、目幅調整機構として対物光学系の光軸を中心としたギア部を有する一対の連動部材と、該連動部材の回転力を受ける偶数個のアイドラギアを用いることで、目幅調整機構の専有空間を減少している。
【先行技術文献】
【特許文献】
【０００６】
【特許文献１】特開２００９−２８８６１２号公報
【発明の概要】
【発明が解決しようとする課題】
【０００７】
しかしながら、上述した特許文献１の目幅調整機構では、連動部材のギア部と連動部材の回転力を受ける側のギアとしてのアイドラギアとの相対位置調整が行えない。このため、部品精度や組立て誤差により、ギア同士の噛み合いにガタが生じ、目幅の調整をスムーズに行えないことが生じ得る。
【０００８】
本発明の目的は、連動部材のギア部と連動部材の回転力を受ける側のギアとの噛み合いにおけるガタを低減してスムーズな目幅調整を可能にした光学機器及び光学機器の製造方法を提供することにある。
【課題を解決するための手段】
【０００９】
上記目的を達成するために、本発明に係る光学機器は、左眼に対応した第１の光学系及び右眼に対応した第２の光学系の光軸間距離を調整可能な光学機器であって、前記第１の光学系と連動する第１の連動部材と、前記第２の光学系と連動する第２の連動部材と、前記第１の連動部材と一体で移動する第１のギアと、前記第２の連動部材と一体で移動する第２のギアと、前記第１のギアより回転力が伝達される第３のギアと、前記第２のギアより回転力が伝達される第４のギアと、該第３及び第４のギアを保持する第１の保持部材と、前記第１及び第２の連動部材と前記第１及び第２のギアとを保持する第２の保持部材と、を有し、前記第１の保持部材を前記第２の保持部材と別体に設けたことを特徴とする。
【００１０】
また、本発明に係る光学機器の製造方法は、左眼に対応した第１の光学系及び右眼に対応した第２の光学系の光軸間距離を調整可能な光学機器であって、前記第１の光学系と連動する第１の連動部材と、前記第２の光学系と連動する第２の連動部材と、前記第１の連動部材と一体で移動する第１のギアと、前記第２の連動部材と一体で移動する第２のギアと、前記第１のギアより回転力が伝達される第３のギアと、前記第２のギアより回転力が伝達される第４のギアと、該第３及び第４のギアを保持する第１の保持部材と、前記第１及び第２の連動部材と前記第１及び第２のギアとを保持する第２の保持部材と、を有し、前記第１の保持部材を前記第２の保持部材と別体に設け、前記第１及び第２の光学系の光軸間距離を調整可能な光学機器の製造方法であって、前記第１の保持部材を前記第２の保持部材に対して位置調整する位置調整工程を有することを特徴とする。
【発明の効果】
【００１１】
本発明によれば、連動部材のギア部と連動部材の回転力を受ける側のギアとの噛み合いにおけるガタを低減してスムーズな目幅調整を可能にした光学機器及び光学機器の製造方法を提供することができる。
【図面の簡単な説明】
【００１２】
【図１】本発明の第１の実施形態に係る双眼鏡を上面から見た断面図
【図２】図１のＡ−Ａ線に沿った断面図
【図３】図１のＢ−Ｂ線に沿った要部の断面図
【図４】第２の実施形態に係る双眼鏡のＢ−Ｂ線に沿った要部の断面図
【図５】第３の実施形態に係る双眼鏡のＢ−Ｂ線に沿った要部の断面図
【発明を実施するための形態】
【００１３】
以下に、本発明の好ましい実施の形態を、添付の図面に基づいて詳細に説明する。
【００１４】
《第１の実施形態》
（光学機器）
図１は本発明の第１の実施形態に係る光学機器としての双眼鏡を上面から見た断面図、図２は図１のＡ−Ａ線に沿った断面図、図３は図１のＢ−Ｂ線に沿った要部の断面図である。本実施形態の双眼鏡は、目幅調整として光軸間距離が調整可能な第１及び第２の接眼ユニット４Ｌ、４Ｒを備える。第１及び第２の接眼ユニット４Ｌ、４Ｒは、左眼に対応した第１の光学系（接眼光学系）６Ｌ及び右眼に対応した第２の光学系（接眼光学系）６Ｒと、第１及び第２の光軸偏心手段であるそれぞれ正立方光学系のプリズム５Ｌ、５Ｒと、を保持している。
【００１５】
また、本実施形態の双眼鏡は、被観察体からの光を入射する左右一対となる第３及び第４の光学系（対物光学系）１Ｌ、１Ｒを保持する第１及び第２の対物ユニット２Ｌ、２Ｒと、これを内包する装置本体３を備える。
【００１６】
そして、第１及び第２の接眼ユニット４Ｌ、４Ｒは、第１及び第２の光学系６Ｌ、６Ｒと連動する第１及び第２の連動部材（連動部材）７Ｌ、７Ｒを前端に備え、第３及び第４の光学系１Ｌ、１Ｒの光軸０Ｌ、０Ｒを中心に回動自在に設けられている。
【００１７】
そして、第１及び第２の連動部材７Ｌ、７Ｒは、第３及び第４の光学系１Ｌ、１Ｒの光軸０Ｌ、０Ｒを中心として光束を通過させる円形孔７ａをそれぞれ有し、この円形孔７ａの周囲の環状部７ｂが接眼ユニット４Ｌ、４Ｒの端面に固定されている。また、第１及び第２の連動部材７Ｌ、７Ｒには、環状部７ｂに連接して、第１及び第２のギア（ギア部）７ｃ、７ｃがそれぞれ一体に成形または一体に取付けられている。そして、第１及び第２のギア７ｃ、７ｃは、第１及び第２のギア７ｃ、７ｃより回転力を受ける第３及び第４のギア（アイドラギア）８ｃ、８ｃと噛合する。
【００１８】
即ち、第１及び第２の連動部材７Ｌ、７Ｒとの間には、第１及び第２のアイドラギアユニット８Ｌ、８Ｒが互いに噛合するように挿入される。そして、第１及び第２の連動部材７Ｌ、７Ｒの回転に伴う回転力を回転可能な第１及び第２のアイドラギアユニット８Ｌ、８Ｒで受けるようにして、目幅調整を可能としている。
【００１９】
装置本体３の内部には、第３及び第４の光学系１Ｌ、１Ｒの光軸０Ｌ、０Ｒに直交し、第１及び第２の連動部材７Ｌ、７Ｒと第１及び第２のギアとしてのギア部７ｃ、７ｃを保持する第２の保持部材９が設けられる。第２の保持部材９は、後述する第１の保持部材としてのギアベース８ｂと別体で設けられる。
【００２０】
ここで、第２の保持部材９には、第３及び第４の光学系１Ｌ、１Ｒの光軸０Ｌ、０Ｒをそれぞれ中心とする貫通孔９ａが設けられている。そして、第１及び第２の接眼ユニット４Ｌ、４Ｒの一部には、第３及び第４の光学系１Ｌ、１Ｒの光軸０Ｌ、０Ｒを中心として、第２の保持部材９の貫通孔９ａにそれぞれ嵌合される嵌合筒部４ａが設けられている。
【００２１】
そして、第１及び第２の接眼ユニット４Ｌ、４Ｒ内の嵌合筒部４ａ、４ａと第１及び第２の光学系６Ｌ、６Ｒの間の第１及び第２の光軸偏心手段としての正立光学系のプリズム５Ｌ、５Ｒは、以下のように配置されている。即ち、第３及び第４の光学系１Ｌ、１Ｒの光軸０Ｌ、０Ｒから偏心した第１及び第２の光学系６Ｌ、６Ｒの光軸０Ｌ′、０Ｒ′までの回転する腕の長さを形成する為に配置されている。
【００２２】
本実施形態における目幅調整機構は、第１の接眼ユニット４Ｌの端面に固定される第１の連動部材７Ｌと、第２の接眼ユニット４Ｒの端面に固定される第２の連動部材７Ｒと、それらの間に挿入されるアイドラギアユニット８から構成されている。そして、アイドラギアユニット８には、第１の保持部材としてのギアベース８ｂが設けられ、第３及び第４のギア（アイドラギア）８ｃ、８ｃをそれぞれ軸支する軸支部材としてのギア軸８ａ，８ａを一体的に備える。第３及び第４のギア（アイドラギア）８ｃ、８ｃはギア軸８ａ，８ａを中心に互いに逆方向に回動可能に設けられる。
【００２３】
本実施形態においては、第１の保持部材としてのギアベース８ｂは単一の保持部材で、第３及び第４のギアとしてのアイドラギア８ｃ、８ｃに共通に設けられている。
【００２４】
ここで、第２の保持部材９に第１及び第２の接眼ユニット４Ｌ、４Ｒを組み付ける際には、第２の保持部材９の貫通孔９ａに第１及び第２の接眼ユニット４Ｌ、４Ｒの嵌合筒部４ａ、４ａをそれぞれ嵌合させる。そして、第１及び第２の連動部材７Ｌ、７Ｒを第１及び第２の接眼ユニット４Ｌ、４Ｒにそれぞれ固定する。その後、アイドラユニット８に固定された第３及び第４のギア（アイドラギア）８ｃ、８ｃを一体的に第１及び第２の連動部材７Ｌ、７Ｒの第１及び第２のギア（ギア部）７ｃ、７ｃと噛合させ、それぞれのギア間のガタが少ない位置へ調整し固定する。
【００２５】
本実施形態においては、第３及び第４のギアとしてのアイドラギア８ｃ、８ｃのそれぞれの中心が、第１及び第２の連動部材７Ｌ、７Ｒの回転中心を結ぶ線に対して一方側に偏って配置される。そして、第１及び第２の連動部材７Ｌ、７Ｒの回転中心を結ぶ方向に対して他方側（アイドラギア８ｃ、８ｃと反対側）には電池収容部２１が設けられ、電池収容部２１には電池２２が収容される。
【００２６】
このような本実施形態において、例えば第１の接眼ユニット４Ｌが回動した際には、第１の接眼ユニット４Ｌの嵌合筒部４ａが第３の光学系１Ｌの光軸０Ｌを中心として回動する。それと共に、第２の接眼ユニット４Ｒの嵌合筒部４ａも第４の光学系１Ｒの光軸０Ｒを中心として従動する。そのため、第１及び第２の接眼ユニット４Ｌ、４Ｒが互いに反対方向に回転力を伝達して、第１及び第２の光学系６Ｌ、６Ｒの光軸０Ｌ′、０Ｒ′の間隔が変化することになる。
【００２７】
その際に、第１及び第２の連動部材７Ｌ、７Ｒにおける第１及び第２のギア（ギア部）と第３及び第４のギア（アイドラギア）８ｃ、８ｃとの間のガタを減らしたことで、回転力の伝達ロスを低減できる。このような本実施形態によれば、目幅調整機構のガタを低減し、スムーズな目幅調整が可能となる。
【００２８】
（光学機器の製造方法）
上述したように本実施形態に係る光学機器としての双眼鏡の製造方法は、第１の保持部材としてのギアベース８ｂを第２の保持部材９に対して位置調整する位置調整工程を有する。ここで、第１の保持部材としてのギアベース８ｂは第３及び第４のギア８ｃ、８ｃを一体的に保持し、第２の保持部材９は第１及び第２の連動部材７Ｌ、７Ｒと第１及び第２のギア（ギア部）７ｃ、７ｃとを保持する。そして、第１の保持部材としてのギアベース８ｂを第２の保持部材９と別体に設ける。
【００２９】
《第２の実施形態》
図４は、本発明の第２の実施形態に係る双眼鏡のＢ−Ｂ線に沿った要部の断面図である。本実施形態は第１の実施形態と同様の構成をしているが、以下の点が異なる。
【００３０】
第１の実施形態では、第３及び第４のギアとしてのアイドラギア８ｃ、８ｃを保持する第１の保持部材としてのギアベース８ｂは、単一の保持部材で第３及び第４のギアとしてのアイドラギア８ｃに共通に設けられるものであった。一方、本実施形態では、第３及び第４のギアとしてのアイドラギア８ｃ、８ｃを保持する第１の保持部材は、第３及び第４のギアとしてのアイドラギア８ｃ、８ｃを個別に保持する第３及び第４の保持部材としてのギアベース８ｂ’、８ｂ’を備える。本実施形態においても、第１の保持部材は第２の保持部材９と別体に設けられる。
【００３１】
このように本実施形態では、アイドラギアユニット８には、第３及び第４のギア（アイドラギア）８ｃ、８ｃがそれぞれギア軸８ａを中心に回動可能に設けられ、それぞれのギア軸８ａはそれぞれのギアベース８ｂ’に個別に組み付けられている。
【００３２】
本実施形態における目幅調整機構は、第１の接眼ユニット４Ｌの端面に固定される第１の連動部材７Ｌと、第２の接眼ユニット４Ｒの端面に固定される第２の連動部材７Ｒと、その間に挿入されるアイドラギアユニット８Ｌ、８Ｒから構成されている。
【００３３】
そして、本実施形態では、第２の保持部材９に、第１のアイドラギアユニット８Ｌを第１の連動部材７Ｌの回転中心方向へガイドするガイド部１０が一体に成形または別体により設けられている。図４において、突起状のガイド部１０は第１のアイドラギアユニット８Ｌを間に挟むように右上部および左下部に設けられ、ガイド部１０の当接面はアイドラギア８ｃの回転中心と連動部材７Ｌの回転中心を結んだ線Ｅと平行となっている。
【００３４】
本実施形態において、第２の保持部材９に第１及び第２の接眼ユニット４Ｌ、４Ｒを組み付ける際には、第２の保持部材９の貫通孔９ａに第１及び第２の接眼ユニット４Ｌ、４Ｒの嵌合筒部４ａをそれぞれ嵌合させる。そして、第１及び第２の連動部材７Ｌ、７Ｒを第１及び第２の接眼ユニット４Ｌ、４Ｒにそれぞれ固定する。
【００３５】
その後、第１のアイドラギアユニット８Ｌの第３のギア（アイドラギア）８ｃと第１の連動部材７Ｌの第１のギア（ギア部）７ｃを噛合させる。そして、第１のアイドラギアユニット８Ｌを、第２の保持部材９に設けられたガイド部１０に沿って、第３のギア８ｃの回転中心と第１の連動部材７Ｌの回転中心を結んだ線Ｅ上を第１の連動部材７Ｌの回転中心方向Ｃへ移動させる。これにより、噛合部のガタをとり、第１のアイドラギアユニット８Ｌを第２の保持部材９に固定する。
【００３６】
その後、第２のアイドラギアユニット８Ｒを第１のアイドラギアユニット８Ｌと第２の連動部材７Ｒとの間に組込み、それぞれのギア部を噛合させる。そして、第２のアイドラギアユニット８Ｒを、第１のアイドラギアユニット７Ｌの第３のギア８ｃの回転中心と第２の連動部材７Ｒの回転中心を結んだ線Ｄに交差する方向に動かし、噛合部のガタのない位置で固定する。
【００３７】
本実施形態においても、第３及び第４のギアとしてのアイドラギア８ｃ、８ｃのそれぞれの中心が、第１及び第２の連動部材７Ｌ、７Ｒの回転中心を結ぶ線に対して一方側に偏って配置される。そして、第１及び第２の連動部材７Ｌ、７Ｒの回転中心を結ぶ方向に対して他方側には、第１の実施形態と同様に電池収容部２１が設けられ、電池収容部２１には電池２２が収容される。
【００３８】
なお、本実施形態においては、先に第１のアイドラギアユニット８Ｌを組み込んでいるが、第２のアイドラギアユニット８Ｒを先に組み込んでもよく、第２の保持部材９に設けられるガイド部１０も第２のアイドラギアユニット８Ｒ側でもよい。
【００３９】
このように本実施形態においても、第１及び第２の連動部材７Ｌ、７Ｒにおける第１及び第２のギア７ｃ、７ｃと第３及び第４のギア（アイドラギア）８ｃ、８ｃとの間のガタを減らし、回転力の伝達ロスを低減できる。そして、第１の実施形態に対し本実施形態では、第３及び第４のギア（アイドラギア）８ｃ、８ｃ間のガタをも低減することが可能となり、より回転力の伝達ロスを低減できる。従って、目幅調整機構のガタを低減し、スムーズな目幅調整が可能となる。
【００４０】
（光学機器の製造方法）
上述したように本実施形態に係る光学機器としての双眼鏡の製造方法は、第１の保持部材（第３及び第４の保持部材８ｂ’、８ｂ’を備える）を第２の保持部材９に対して位置調整する位置調整工程を有する。そして、この位置調整工程においては、第３及び第４の保持部材８ｂ’、８ｂ’を第２の保持部材９に対して個別に位置調整可能としている。
【００４１】
ここで、第１の保持部材は第３及び第４のギア８ｃ、８ｃを保持し、第２の保持部材９は第１及び第２の連動部材７Ｌ、７Ｒと第１及び第２のギア７ｃ、７ｃとを保持し、第１の保持部材を第２の保持部材９と別体に設ける。
【００４２】
そして、本実施形態における上記の位置調整工程において、第３のギアを、第４のギアと独立に第３のギアの回転中心が第１の連動部材７Ｌの回転中心に近づくように個別に移動させる第１の工程を備える。そして、上記の位置調整工程で、第１の工程の後に、第４のギアを、第３のギアと第２の連動部材７Ｒとの間に組み込む第２の工程を備える。
【００４３】
《第３の実施形態》
図５は、本発明の第３の実施形態に係る双眼鏡のＢ−Ｂ線に沿った要部の断面図である。第２の実施形態では、アイドラギアとして第３及び第４のギア８ｃ、８ｃを用いたが、本実施形態ではアイドラギアとしてより小径な第５から第８のギア８ｃ’、 ８ｃ’、 ８ｃ’、８ｃ’を用いる。このような本実施形態は、第２の実施形態における第３及び第４のギアが小径化されて他の複数個のギアを介して噛合う形態とも言える。
【００４４】
本実施形態では、第５から第８のギアを保持する第１の保持部材は、第５から第８のギアを個別に保持する第５から第８の保持部材としてのギアベース８ｂ’’、８ｂ’’、 ８ｂ’’、８ｂ’’を備える。本実施形態においても、第１の保持部材は第２の保持部材９と別体に設けられる。
【００４５】
本実施形態の目幅調整機構は、第１の接眼ユニット４Ｌの端面に固定される第１の連動部材７Ｌと、第２の接眼ユニット４Ｒの端面に固定される第２の連動部材７Ｒと、それらの間に挿入される第５から第８のアイドラギアユニットから構成される。第５から第８のアイドラギアユニット８Ｌ１、８Ｒ１、８Ｌ２、８Ｒ２には、それぞれアイドラギア８ｃ’がギア軸８ａを中心に回動可能にそれぞれのギアベース８ｂ’’に組み付けられている。
【００４６】
本実施形態において、第２の保持部材９に第１及び第２の接眼ユニット４Ｌ、４Ｒを組み付ける際には、第２の保持部材９の貫通孔９ａに第１及び第２の接眼ユニット４Ｌ、４Ｒの嵌合筒部４ａをそれぞれ嵌合させる。そして、第１及び第２の連動部材７Ｌ、７Ｒを第１及び第２の接眼ユニット４Ｌ、４Ｒにそれぞれ固定する。
【００４７】
その後、図５に示すアイドラギアユニット８Ｌ１、８Ｒ１のアイドラギア８ｃ’、 ８ｃ’（第２の実施形態における第３及び第４のギアに相当）と、第１及び第２の連動部材７Ｌ、７Ｒの第１及び第２のギア（ギア部）７ｃ、７ｃをそれぞれ噛合させる。そして、アイドラギアユニット８Ｌ１は第１の連動部材７Ｌの回転中心方向へ、アイドラギアユニット８Ｒ１は第２の連動部材７Ｒの回転中心方向へそれぞれ移動させることで、噛合部のガタをとり、第２の保持部材９に固定する。
【００４８】
次に、図５に示すアイドラギアユニット８Ｌ２のアイドラギア８ｃ’とアイドラギアユニット８Ｌ１のアイドラギア８ｃ’を噛合させる。また、アイドラギアユニット８Ｒ２のアイドラギア８ｃ’とアイドラギアユニット８Ｒ１のアイドラギア８ｃ’を噛合させる。その後、アイドラギアユニット８Ｌ２のアイドラギア８ｃ’とアイドラギアユニット８Ｒ２のアイドラギア８ｃ’とを噛合させ、ガタが無くなる位置で固定する。尚、アイドラギア８ｃ’は４個に限定されるものではなく、偶数個であればよ
以上、本実施形態においても、第１及び第２の連動部材７Ｌ、７Ｒにおける第１及び第２のギア（ギア部）７ｃ、７ｃと、第５から第８のギア８ｃ’、 ８ｃ’、 ８ｃ’、８ｃ’との間のガタを減らし、回転力の伝達ロスを低減できる。従って、目幅調整機構のガタを低減し、スムーズな目幅調整が可能となる。また、小径のアイドラギア８ｃ’を４個使用することで、目幅調整機構の専有空間（特に左右眼を結ぶ方向に直交する方向）を減らし、双眼鏡の小型化も可能となる。
【００４９】
（光学機器の製造方法）
上述したように本実施形態に係る光学機器としての双眼鏡の製造方法は、第１の保持部材（第５から第８の保持部材８ｂ’’、８ｂ’’、 ８ｂ’’、８ｂ’’を備える）を第２の保持部材９に対して位置調整する位置調整工程を有する。そして、この位置調整工程においては、第１の保持部材（第５及び第８の保持部材としてのギアベース８ｂ’’、８ｂ’’、 ８ｂ’’、８ｂ’’を備える）を第２の保持部材９に対して個別に位置調整可能としている。
【００５０】
ここで、第１の保持部材は第５から第８のギア（アイドラギア）８ｃ’を保持し、第２の保持部材９は第１及び第２の連動部材７Ｌ、７Ｒと第１及び第２のギア（ギア部）７ｃ、７ｃとを保持する。そして、第１の保持部材を第２の保持部材９と別体に設ける。
【００５１】
そして、上記の位置調整工程で、第５のアイドラギアユニット８Ｌ１における第５のギア８ｃ’を回転中心が第１の連動部材７Ｌの回転中心に近づくように個別に移動させる第３の工程を備える。また、第６のアイドラギアユニット８Ｒ１における第６のギア８ｃ’を回転中心が第２の連動部材７Ｒの回転中心に近づくように個別に移動させる第４の工程と、を備える。
【００５２】
更に、上記の位置調整工程で、第７のアイドラギアユニット８Ｌ２における第７のギア８ｃ’を回転中心が第５のアイドラギアユニット８Ｌ１における第５のギア８ｃ’の回転中心に近づくように個別に移動させる第５の工程を備える。また、第８のアイドラギアユニット８Ｒ２における第８のギア８ｃ’を回転中心が第６のアイドラギアユニット８Ｒ１における第６のギア８ｃ’の回転中心に近づくように個別に移動させる第６の工程を備える。
【００５３】
更に、上記の位置調整工程で、第７のアイドラギアユニット８Ｌ２における第７のギア８ｃ’と第８のアイドラギアユニット８Ｒ２における第８のギア８ｃ’がガタなく噛合うように相対位置調整する第７の工程を備える。
【００５４】
（変形例）
以上、本発明の好ましい実施形態について説明したが、本発明はこれらの実施形態に限定されず、その要旨の範囲内で種々の変形及び変更が可能である。
【００５５】
（変形例１）
上述した実施形態では、双眼鏡について述べたが、本発明はこれに限らずヘッドマウントディスプレイ等の光学機器に適用できる。
【符号の説明】
【００５６】
６Ｌ、６Ｒ・・第１及び第２の光学系（接眼光学系）、７Ｌ、７Ｒ・・第１及び第２の連動部材、７ｃ、７ｃ・・第１及び第２のギア（ギア部）、８ｂ・・ギアベース（第１の保持部材）、８ｃ、８ｃ・・第３及び第４のギア（アイドラギア）、９・・第２の保持部材
【図１】
2017219794.tif 000003
【図２】
2017219794.tif 000004
【図３】
2017219794.tif 000005
【図４】
2017219794.tif 000006
【図５】
2017219794.tif 000007